【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
頬側表面と、舌側表面と、前記頬側表面を前記舌側表面に接合する下側表面とを画定する下顎に取り付けられるよう構成された下顎骨プレートであって、前記下顎骨プレートが、
第１端及び第２端を有する湾曲した顎先部分と、
第１軸に沿って前記第１端から延出しかつ前記第１軸に沿って細長い、第１延長部分と、を含み、前記第１延長部分が、前記第１端に近接する近位端と、前記第１軸に沿って前記近位端から離間している遠位端と、を画定し、前記第１延長部分が、凹状骨側向き表面と、前記凹状骨側向き表面に相対する第１外側表面と、前記凹状骨側向き表面から前記第１外側表面へと延在する複数の骨アンカー穴と、を画定し、前記凹状骨側向き表面が、湾曲した下側端と、湾曲した上側端と、を有し、前記上側端が、前記第１軸に対して垂直な第１方向に沿って前記下側端から離間しており、前記第１延長部分は、前記第１延長部分の遠位部分で前記第１方向に沿って前記凹状骨側向き表面の前記下側端と前記上側端の両方に接する第１直線が引かれ得るような向きにされ、前記第１直線が、前記第１延長部分の近位部分で前記第１方向に沿って前記凹状骨側向き表面の前記下側端と前記上側端の両方に接して引かれ得る第２直線に対して、前記第１軸を中心に回転されており、これによって、前記下顎骨プレートが前記下顎に取り付けられたときに、前記下顎の前記頬側表面、前記舌側表面、及び前記下側表面のうち少なくとも２つの少なくとも一部分に、前記凹状骨側向き表面が接するよう構成されている、下顎骨プレート。
【請求項２】
湾曲した前記骨側向き表面が、第１凹状骨側向き表面であり、前記下顎骨プレートが、第２軸に沿って前記第２端から延出しかつ前記第２軸に沿って細長い、第２延長部分を更に含み、前記第２延長部分が、前記第２端に近接する近位端と、前記第２軸に沿って前記近位端から離間している遠位端と、を画定し、前記第２延長部分が、第２凹状骨側向き表面と、前記第１凹状骨側向き表面に相対する第２外側表面と、前記第２凹状骨側向き表面から前記第２外側表面へと延在する複数の骨アンカー穴と、を画定し、前記第２凹状骨側向き表面が、湾曲した下側端と、湾曲した上側端と、を有し、前記上側端が、前記第２軸に対して垂直な第２方向に沿って前記下側端から離間しており、前記第２延長部分は、前記第２延長部分の遠位部分で前記第２方向に沿って前記第２凹状骨側向き表面の前記下側端と前記上側端に接する第３直線が引かれ得るような向きにされ、前記第３直線が、前記第２延長部分の近位部分で前記第２方向に沿って前記第２凹状骨側向き表面の前記下側端と前記上側端に接して引かれ得る第４直線に対して、前記第２軸を中心に回転されており、これによって、前記下顎骨プレートが前記下顎に取り付けられたときに、前記下顎の前記頬側表面、前記舌側表面、及び前記下側表面のうち少なくとも２つの少なくとも一部分に、前記第２凹状骨側向き表面が接するよう構成されている、
請求項１に記載の下顎骨プレート。
【請求項３】
前記湾曲した顎先部分が、顎先骨側向き表面と、前記顎先骨側向き表面に相対する外側表面と、前記顎先骨側向き表面から前記外側表面まで前記湾曲した顎先部分を貫通して延在する少なくとも１つの骨アンカー穴とを画定し、
前記湾曲した顎先部分は、前記下顎骨プレートが前記下顎に取り付けられたときに前記顎先骨側向き表面が前記下顎の前記下側表面に面するよう構成されるような向きにされ、
前記顎先骨側向き表面、前記第１凹状骨側向き表面、及び前記第２凹状骨側向き表面が一致して、連続的な骨側向き表面を画定し、
前記第１及び第２凹状骨側向き表面はそれぞれ、前記下顎骨プレートが前記下顎に取り付けられたときに前記下顎の前記舌側表面のそれぞれの部分に対応する複数のうねりを含む、請求項２に記載の下顎骨プレート。
【請求項４】
前記湾曲した顎先部分が、顎先骨側向き表面と、前記顎先骨側向き表面に相対する外側表面と、前記顎先骨側向き表面から前記外側表面まで前記湾曲した顎先部分を貫通して延在する少なくとも１つの骨アンカー穴と、を画定し、
（ｉ）前記顎先部分が、前記外側表面から前記顎先骨側向き表面へと延在する第１側面と、前記第１側面に相対しかつ前記外側表面から前記顎先骨側向き表面へと延在する第２側面と、を画定し、
（ｉｉ）前記第１延長部分が、前記第１外側表面から前記第１凹状骨側向き表面へと延在する第３側面と、前記第３側面に相対しかつ前記第１外側表面から前記第１凹状骨側向き表面へと延在する第４側面と、を画定し、前記第１延長部分の少なくとも一部分が、前記第３側面から前記第４側面に向かって先細であり、
（ｉｉｉ）前記第２延長部分が、前記第２外側表面から前記第２凹状骨側向き表面へと延在する第５側面と、前記第５側面に相対しかつ前記第２外側表面から前記第２凹状骨側向き表面へと延在する第６側面と、を画定し、前記第２延長部分の少なくとも一部分が、前記第５側面から前記第６側面に向かって先細である、
請求項２に記載の下顎骨プレート。
【請求項５】
前記湾曲した顎先部分が、顎先骨側向き表面と、前記顎先骨側向き表面に相対する外側表面と、前記顎先骨側向き表面から前記外側表面まで前記湾曲した顎先部分を貫通して延在する少なくとも１つの骨アンカー穴と、を画定し、
（ｉ）前記顎先部分が、前記外側表面から前記顎先骨側向き表面へと延在する第１側面と、前記第１側面に相対しかつ前記外側表面から前記顎先骨側向き表面へと延在する第２側面と、を画定し、
（ｉｉ）前記第１延長部分が、前記第１外側表面から前記第１凹状骨側向き表面へと延在する第３側面と、前記第３側面に相対しかつ前記第１外側表面から前記第１凹状骨側向き表面へと延在する第４側面と、隣接する骨アンカー穴の間で前記第３側面の中へと延在する第１陥凹と、前記第１延長部分の前記第１陥凹に相対し、隣接する骨アンカー穴の間で前記第４側面の中へと延在する第２陥凹と、を画定し、
（ｉｉｉ）前記第２延長部分が、前記第２外側表面から前記第２凹状骨側向き表面へと延在する第５側面と、前記第５側面に相対しかつ前記第２外側表面から前記第２凹状骨側向き表面へと延在する第６側面と、隣接する骨アンカー穴の間で前記第５側面の中へと延在する第１陥凹と、前記第２延長部分の前記第１陥凹に相対し、隣接する骨アンカー穴の間で前記第６側面の中へと延在する第２陥凹と、を画定する、
請求項４に記載の下顎骨プレート。
【請求項６】
前記湾曲した顎先部分が、複数の骨アンカー穴を含み、前記湾曲した顎先部分、前記第１延長部分、及び前記第２延長部分がそれぞれ、隣接する骨アンカー穴の間における少なくとも１つの弱化部分を含む、請求項２〜５のいずれか一項に記載の下顎骨プレート。
【請求項７】
前記第１及び第２延長部分がそれぞれ前記第１及び第２軸を中心にねじれており、これにより、前記第１及び第２凹状骨側向き表面は、前記下顎骨プレートが前記下顎に取り付けられたときに、前記下側表面の少なくとも一部分と、前記下顎の前記舌側表面の少なくとも一部分と、に接するよう構成されている、請求項２〜６のいずれか一項に記載の下顎骨プレート。
【請求項８】
頬側表面と、舌側表面と、前記頬側表面を前記舌側表面に接合する下側表面とを画定する下顎に取り付けられるよう構成された下顎骨プレートであって、前記下顎骨プレートが、
本体を含み、前記本体は、骨側向き表面と、前記骨側向き表面に相対する外側表面と、前記骨側向き表面から前記外側表面まで前記本体を貫通して延在する複数の骨アンカー穴と、を画定し、
前記本体は、顎先部分、第１延長部分、及び第２延長部分を含み、前記顎先部分が、第１方向を向く、前記骨側向き表面の一部分を画定し、前記第１及び第２延長部分がそれぞれ、前記顎先部分から延在し、
ｉ）前記第１延長部分によって画定された前記骨側向き表面の第１部分が、１）前記第２延長部分によって画定された前記骨側向き表面の第１部分から離れる方を向き、２）前記第１方向に垂直な第２方向に測定した第１距離だけ、前記第２延長部分の前記第１部分から離間し、
ｉｉ）前記第１延長部分によって画定された前記骨側向き表面の第２部分が、１）前記第２延長部分によって画定された前記骨側向き表面の第２部分から離れる方を向き、２）前記第２方向に測定した第２距離だけ、前記第２延長部分の前記第２部分から離間し、前記第２距離が、前記第１距離より長く、
前記下顎骨プレートが前記下顎に取り付けられたときに、前記顎先部分によって画定された前記骨側向き表面の前記一部分が、前記下顎の前記下側表面に面するように構成され、前記下顎骨プレートが前記下顎に取り付けられたときに、前記第１及び第２延長部分によって画定された前記骨側向き表面の前記第１及び第２部分が、少なくとも部分的に前記下顎の前記舌側表面に面するように構成され、前記骨側向き表面が、前記第１延長部分から、前記顎先部分を通り、前記第２延長部分を通って、連続的である、下顎骨プレート。
【請求項９】
前記顎先部分が湾曲し、かつ、第１端と、前記第１端に相対する第２端とを画定し、前記第１延長部分が、第１軸に沿って前記第１端から延出し、前記第１軸に沿って細長く、かつ、湾曲した前記顎先部分に対して前記第１軸を中心に反時計回りにねじれており、これによって、前記第１延長部分の前記骨側向き表面は、前記下顎骨プレートが前記下顎に取り付けられたときに前記下顎の前記舌側表面の少なくとも一部分に接するよう構成され、また、前記第２延長部分が、第２軸に沿って前記第２端から延出し、前記第２軸に沿って細長く、かつ、前記湾曲した顎先部分に対して前記第２軸を中心に時計回りにねじれており、これによって、前記第２延長部分の前記骨側向き表面は、前記下顎骨プレートが前記下顎に取り付けられたときに前記下顎の前記舌側表面の少なくとも一部分に接するよう構成されている、請求項８に記載の下顎骨プレート。
【請求項１０】
（ｉ）前記顎先部分が、前記外側表面から前記骨側向き表面へと延在する第１側面と、前記第１側面に相対しかつ前記外側表面から前記骨側向き表面へと延在する第２側面と、を画定し、
（ｉｉ）前記第１延長部分が、前記外側表面から前記骨側向き表面へと延在する第３側面と、前記第３側面に相対しかつ前記外側表面から前記骨側向き表面へと延在する第４側面と、を画定し、
（ｉｉｉ）前記第２延長部分が、前記外側表面から前記骨側向き表面へと延在する第５側面と、前記第５側面に相対しかつ前記外側表面から前記骨側向き表面へと延在する第６側面と、を画定し、
前記第１延長部分の少なくとも一部分が、前記第３側面から前記第４側面に向かって先細であり、前記第２延長部分の少なくとも一部分が、前記第５側面から前記第６側面に向かって先細であり、
前記第１及び第２延長部分がそれぞれ、隣接する骨アンカー穴の間でそれぞれ前記第３及び第５側面の中へと延在する、それぞれの第１陥凹と、前記それぞれの第１陥凹に相対し、前記隣接する骨アンカー穴の間でそれぞれ前記第４及び第６側面の中へと延在する、それぞれの第２陥凹とを画定し、
前記第１及び第２延長部分がそれぞれ、隣接する骨アンカー穴の間に少なくとも１つの弱化部分を含み、
前記顎先部分が、前記複数の骨アンカー穴のうち少なくとも２つの骨アンカー穴と、前記少なくとも２つの骨アンカー穴のうち隣接する骨アンカー穴の間における少なくとも１つの弱化部分とを含み、
前記第１及び第２延長部分がそれぞれ、第１及び第２軸それぞれに沿って前記顎先部分から延出し、前記第１及び第２延長部分の少なくとも一部分が、前記第１及び第２軸に対して垂直な面に沿った断面において実質的に三角形形状であり、
前記第１及び第２延長部分の前記骨側向き表面が凹状であり、
前記第１及び第２延長部分がそれぞれ前記第１及び第２軸を中心にねじれており、これにより、前記第１及び第２骨側向き表面は、前記下顎骨プレートが前記下顎に取り付けられたときに、前記下側表面の少なくとも一部分と、前記下顎の前記舌側表面の少なくとも一部分と、に接するよう構成されており、
前記本体の各骨アンカー穴が、それぞれの中心軸を画定し、前記中心軸のうち少なくともいくつかが、他の前記中心軸に対して角度がずれている、請求項８又は９に記載の下顎骨プレート。
【請求項１１】
前記第１及び第２延長部分がそれぞれ、前記顎先部分から延出し、前記第１延長部分の前記外側表面の一部分が、前記第２延長部分の前記外側表面の一部分の方を向いている、請求項８に記載の下顎骨プレート。
【請求項１２】
前記第１側面、前記第２側面、前記第３側面、前記第４側面、前記第５側面、及び前記第６側面それぞれには、穴がない、請求項１０に記載の下顎骨プレート。
【請求項１３】
前記顎先部分が、第１端、及び前記第１端に相対する第２端を画定し、前記第１延長部分が、第１軸に沿って前記第１端から延出し、前記第１延長部分が、前記第１軸に沿って細長く、前記第２延長部分が、第２軸に沿って前記第２端から延出し、前記第２延長部分が、前記第２軸に沿って細長く、
ｉ）前記第１延長部分が、断面平面を画定し、前記第１軸が、前記断面平面に垂直であり、前記第１延長部分が、前記外側表面、前記骨側向き表面、前記第３側面、及び前記第４側面に沿って前記断面平面上に連続的な外周を画定し、
ｉｉ）前記第２延長部分が、断面平面を画定し、前記第２軸が、前記断面平面に垂直であり、前記第２延長部分が、前記外側表面、前記骨側向き表面、前記第５側面、及び前記第６側面に沿って前記断面平面上に連続的な外周を画定する、請求項１０に記載の下顎骨プレート。
【請求項１４】
前記第１延長部分の前記断面平面が、前記第１軸に平行な第３方向に沿って延在する、前記第１延長部分によって画定されたすべての穴からずれており、
前記第２延長部分の前記断面平面が、前記第２軸に平行な第４方向に沿って延在する、前記第２延長部分によって画定されたすべての穴からずれている、請求項１３に記載の下顎骨プレート。
【請求項１５】
前記第１延長部分によって画定された前記骨側向き表面の前記第１部分が、第３距離だけ前記顎先部分から離間し、前記第１延長部分によって画定された前記骨側向き表面の前記第２部分が、第４距離だけ前記顎先部分から離間し、前記第３距離が、前記第４距離より短い、請求項８に記載の下顎骨プレート。